(57)【要約】【課題】筒状の本体の両端側にテーパ面が形成されたダブルテーパタイプのコレットチャックを安定的に開閉するコレットチャックの開閉装置を提供することを課題としている。【解決手段】筒状の本体８の両端側にテーパ面９，１１が形成されたコレットチャック４を収容する中空筒体内に摺動自在に挿入される開閉スリーブ１７の前進によって、前記開閉スリーブ１７が、前記コレットチャック４の後方側のテーパ面１１を押圧し、前記テーパ面１１を押圧した状態で、前記開閉スリーブ１７と前記コレットチャック４の本体８との間に所定の間隙Ｓを介して介設されたカラー２１と接し、前記カラー２１を介して前記コレットチャック４を前記キャップ１４に押圧することによって、前記コレットチャック４の前後両側を閉作動させる。【選択図】図１
2015199151.tif 000002
【特許請求の範囲】
【請求項１】
筒状の本体（８）の両端側にテーパ面（９，１１）が形成されたコレットチャック（４）を収容する中空筒体内に摺動自在に挿入される開閉スリーブ（１７）と、前記コレットチャック（４）の前方側のテーパ面（９）が押圧されるキャップ（１４）とを備え、
前記開閉スリーブ（１７）の前進によって、前記開閉スリーブ（１７）が前記コレットチャック（４）の後方側のテーパ面（１１）を押圧しながら、前記コレットチャック（４）を前記キャップ（１４）に押圧し、前記コレットチャック（４）の前後両側を閉作動させるコレットチャックの開閉装置において、
前記開閉スリーブ（１７）と前記コレットチャック（４）の本体（８）との間に所定の間隙（Ｓ）を介してカラー（２１）を介設し、
前記開閉スリーブ（１７）が、前進時に前記コレットチャック（４）の後方側の前記テーパ面（１１）を押圧した状態で前記カラー（２１）と接し、前記カラー（２１）を介して前記コレットチャック（４）を前記キャップ（１４）に押圧するように構成されたコレットチャックの開閉装置。
【請求項２】
中空筒体が工作機械の主軸（１）からなる請求項１のコレットチャックの開閉装置。
【発明の詳細な説明】
【技術分野】
【０００１】
本発明は、コレットチャックの開閉装置に関する。
【背景技術】
【０００２】
従来、筒状の本体の両端側にテーパ面が形成されたコレットチャックが収容される中空筒体内に摺動自在に挿入される開閉スリーブを備え、前記開閉スリーブの前進によって、前記コレットチャックの両端側を閉作動させるコレットチャックの開閉装置が知られている（例えば特許文献１参照）。
【先行技術文献】
【特許文献】
【０００３】
【特許文献１】実開平５−８６４０７号公報（第５頁、図１、図２）
【発明の概要】
【発明が解決しようとする課題】
【０００４】
上記コレットチャックの開閉装置として、前記コレットチャックの前端側のテーパ面が押圧されるキャップを備え、前記開閉スリーブが前記コレットチャックの後方側のテーパ面を押圧しながら、前記コレットチャックを前記キャップに押圧し、前記コレットチャックの両端側を閉作動させるように構成された装置がある。前記コレットチャック内に材料を挿入し、前記コレットチャックの前後両端側を閉作動させることによって、前記コレットチャックにより前記材料を把持することができる。
【０００５】
ただし前記コレットチャックの開閉装置の場合、比較的短い材料が、前記コレットチャックの前方にのみ位置している場合、前記開閉スリーブが前記コレットチャックの後端側の前記テーパ面を押圧すると、前記コレットチャックの後方側は、材料がないため必要以上に撓む。このため前記開閉スリーブによる前記コレットチャックを前記キャップに押圧する力が不足し、前記コレットチャックの前方側の閉作動が不足して材料を安定的に把持できない場合があるという問題点があった。
【課題を解決するための手段】
【０００６】
上記課題を解決するための本発明のコレットチャックの開閉装置は、筒状の本体８の両端側にテーパ面９，１１が形成されたコレットチャック４を収容する中空筒体内に摺動自在に挿入される開閉スリーブ１７と、前記コレットチャック４の前方側のテーパ面９が押圧されるキャップ１４とを備え、前記開閉スリーブ１７の前進によって、前記開閉スリーブ１７が前記コレットチャック４の後方側のテーパ面１１を押圧しながら、前記コレットチャック４を前記キャップ１４に押圧し、前記コレットチャック４の前後両側を閉作動させるコレットチャックの開閉装置において、前記開閉スリーブ１７と前記コレットチャック４の本体８との間に所定の間隙Ｓを介してカラー２１を介設し、前記開閉スリーブ１７が、前進時に前記コレットチャック４の後方側の前記テーパ面１１を押圧した状態で前記カラー２１と接し、前記カラー２１を介して前記コレットチャック４を前記キャップ１４に押圧するように構成されたことを第１の特徴としている。
【０００７】
第２に、中空筒体が工作機械の主軸１からなることを特徴としている。
【発明の効果】
【０００８】
以上のように構成される本発明の構造によると、比較的短い材料が、前記コレットチャックの前方にのみ位置している場合、前記開閉スリーブの前進によるコレットチャックの
後方側のテーパ面の押圧の際、コレットチャックの後方側の閉作動に伴い、開閉スリーブが前進してカラーに当接し、開閉スリーブがカラーを介してコレットチャックをキャップに押圧することによって、コレットチャックは前方側が閉作動し、前方側において前記材料を所定の把持力で安定的に把持することができるという効果がある。
【図面の簡単な説明】
【０００９】
【図１】自動旋盤の主軸先端側の要部断面図。
【図２】前後に亘って材料が挿入されたコレットチャックの要部断面図。
【図３】前方側にのみ材料が挿入されたコレットチャックの要部断面図。
【発明を実施するための形態】
【００１０】
図１は本発明に係るコレットチャックの開閉装置を備えた工作機械である自動旋盤の主軸先端側の要部断面図を示す。中空筒状の主軸１が主軸台２に回転駆動自在に支持されている。主軸１内に、中空の操作スリーブ３が主軸１の軸線方向Ｚに摺動自在に挿入されている。主軸１内にコレットチャック４が収容されている。コレットチャック４は前方側の大径部６と後方側の小径部７とが一体的に形成された中空筒状の本体８の前後両端側にテーパ面９，１１が形成されている。
【００１１】
コレットチャック４は、前後の両端側から軸線方向の中央側に向かうスリットによって、複数の可撓片１２，１３が前後に形成される。コレットチャック４は、前方又は後方のテーパ面９，１１が押圧されることによって、前方又は後方の可撓片１２，１３が弾力的に撓む。コレットチャック４は、前方又は後方の可撓片１２，１３が弾力的に撓むことによって、前方又は後方部分の内径が縮径して閉作動する。
【００１２】
コレットチャック４の前方又は後方のテーパ面９，１１の押圧が解除されると、前方又は後方の可撓片１２，１３の撓みが弾力的に復帰し、コレットチャック４は前方又は後方部分の内径が戻り開作動する。コレットチャック４は、前方又は後方のテーパ面９，１１の押圧と押圧解除によって、前後で開閉作動する従来公知のダブルテーパタイプのコレットチャックからなる。
【００１３】
主軸１の先端に、キャップナット１４が螺合して固定的に取り付けられている。キャップナット１４にテーパ面１６が形成されている。コレットチャック４の前方側のテーパ面９とキャップナット１４のテーパ面１６とが互いに係合する。主軸１内に中空の開閉スリーブ１７が挿入されている。開閉スリーブ１７はコレットチャック４と操作スリーブ３との間に配置されている。開閉スリーブ１７の前端にテーパ面１８が形成されている。コレットチャック４の後方側のテーパ面１１と開閉スリーブ１７のテーパ面１８とが互いに係合する。
【００１４】
コレットチャック４の大径部６と小径部７との間に形成される段部１９と開閉スリーブ１７の先端との間にカラー２１が設けられている。カラー２１はコレットチャック４の小径部７に摺動自在に外嵌されている。カラー２１の軸線方向Ｚの長さは、開閉スリーブ１７の先端から段部１９との間の軸線方向Ｚの長さより短く設定されている。カラー２１は、開閉スリーブ１７と段部１９との間に所定の間隙Ｓを介して介設される。
【００１５】
操作スリーブ３は、主軸１の後方側に設けられた従来公知の駆動機構によって軸線方向Ｚに摺動駆動される。図２に示されるように、コレットチャック４内に例えば棒状の材料Ｗ１が挿入された状態で、前記駆動機構によって操作スリーブ３を前方に摺動移動させることによって、開閉スリーブ１７が前進し、テーパ面１８を介してコレットチャック４の後方側のテーパ面１１を押圧する。
【００１６】
コレットチャック４は後方側のテーパ面１１が押圧されることによって後方側が閉作動し、後方側において前記材料Ｗ１を把持する。この際、コレットチャック４自体がキャップナット１４に押圧され、コレットチャック４の前方側のテーパ面９がキャップナット１４のテーパ面１６に押圧されることによって、コレットチャック４は前方側が閉作動し、前方側において前記材料Ｗ１を把持する。
【００１７】
コレットチャック４は、前記材料Ｗ１を前後において所定の把持力で安定して把持することができる。なおカラー２１と、開閉スリーブ１７及び段部１９との間の間隙Ｓにより、開閉スリーブ１７がカラー２１を介して段部１９を押圧することはない。このため開閉スリーブ１７によってコレットチャック４の後方側のテーパ面１１が確実に押圧され、コレットチャック４の前後閉作動が安定して行われる。
【００１８】
図３に示されるように、比較的短い材料Ｗ２が、コレットチャック４内の前方にのみ位置している場合は、前記駆動機構による操作スリーブ３の前方への摺動移動によって、開閉スリーブ１７が、テーパ面１８を介してコレットチャック４の後方側のテーパ面１１を押圧する。ただしコレットチャック４の後方側に材料がないため、開閉スリーブ１７は、後方側の可撓片１３を撓ませながら前進してカラー２１に当接し、カラー２１を介して段部１９を押圧する。
【００１９】
カラー２１を介して開閉スリーブ１７が段部１９を押圧することによって、コレットチャック４自体がキャップナット１４に押圧される。コレットチャック４の前方側のテーパ面９がキャップナット１４のテーパ面１６に押圧され、コレットチャック４は前方側が閉作動し、前方側において前記材料Ｗ２を所定の把持力で安定的に把持することができる。
【符号の説明】
【００２０】
１    主軸
４    コレットチャック
８    コレットチャックの本体
９    コレットチャックのテーパ面
１１  コレットチャックのテーパ面
１４  キャップナット（キャップ）
１７  開閉スリーブ
２１  カラー
Ｓ    間隙
【図１】
2015199151.tif 000003
【図２】
2015199151.tif 000004
【図３】
2015199151.tif 000005